(57)【要約】      （修正有） 【課題】可動式の標的と自動集弾機能、音声、光、および分計測等効果を備えた玩具銃射撃用動く標的を提供する。【解決手段】玩具銃射撃用動く標的は主に、中空状の箱体１内部に標的搬送装置２を設置する。該標的搬送装置２は動力部品２１を含み、動力部品２１が連動する搬送部品２６をめぐらせ、搬送部品２６上に設置した標的３を移動させる。また、箱体１内部には緩衝作用を備えさせ、ＢＢ弾が射撃後に外方向に弾き返されるのを防ぐ。箱体底部は傾斜状とし、集弾部１３を備え、ＢＢ弾を自動的に収集する働きをする。さらに、箱体１上には表示ユニット４と音声ユニットを設けてあるため、射手は、射撃後の標的に係合させた電子信号によって命中したかどうかと射撃の合計点を知ることができる。【選択図】図１
0003181248.tif 000002
【実用新案登録請求の範囲】
【請求項１】
箱体を含む玩具銃射撃用動く標的において、
前記箱体は、中空状をなし、該箱体は、左側、右側、上部、後部の外殻板によって囲まれて形成され、箱体にはさらに底板を含み、箱体の前部は開放状とし、箱体の内側面には緩衝層を設置し、
前記箱体内部に設置する標的搬送装置には、動力部品と搬送部品を含み、該動力部品は搬送部品を連動し、搬送部品上には一つ或いは一つ以上の標的を設置し、
前記標的のそれぞれには、底座、底座に横設する軸、軸上に連設する板体を備えることを特徴とする玩具銃射撃用動く標的。
【請求項２】
前記緩衝層は軟性材料によって製作し、該軟性材料にはＰＵ（ポリウレタン）材料を含むことを特徴とする請求項１に記載の玩具銃射撃用動く標的。
【請求項３】
前記底板は傾斜状をなし、斜めに下がっている外側端に集弾部を連設し、該底板には二つのスライドレールを設け、集弾部は二つのスライドレールによって移動することを特徴とする請求項１に記載の玩具銃射撃用動く標的。
【請求項４】
前記箱体の前上部縁箇所には前上部板を設置し、箱体の前部底縁箇所には前下部板を設置し、前上部板と前下部板間は開放状態とし、前上部板の下部エッジと前下部板の上部エッジには発光部品を設置することを特徴とする請求項１に記載の玩具銃射撃用動く標的。
【請求項５】
前記標的搬送装置は、箱体内部の底板上に設置することを特徴とする請求項１に記載の玩具銃射撃用動く標的。
【請求項６】
前記標的搬送装置は、動力部品、動力部品の出力軸に嵌設する主動伝動部品、主動伝動部品に連設する伝動部品、伝動部品に連設する被伝動部品を備え、前記主動伝動部品と被伝動部品は歯車とし、伝動部品はチェーンとし、被伝動部品の軸心と同軸上に回転軸を連結し、回転軸の外側周囲に搬送部品を嵌着し、搬送部品には別に回転軸を嵌設し、搬送部品は搬送ベルトであり、搬送部品上には一つ或いは一つ以上の標的を設置することを特徴とする請求項１に記載の玩具銃射撃用動く標的。
【請求項７】
前記標的の板体が底座に対して傾むいて倒れた状態となる時、係合する電子回路によって電子信号が発せられることを特徴とする請求項１に記載の玩具銃射撃用動く標的。
【請求項８】
前記前上部板の外側には表示ユニットを設置し、該表示ユニットは表示を行うランプ或いは数字を含み、表示ユニットは標的の電子信号に係合して表示を行うことを特徴とする請求項７に記載の玩具銃射撃用動く標的。
【請求項９】
前記箱体の外側には音声部品を設け、該音声部品はスピーカーであり、標的の電子信号に係合して表示を行うことを特徴とする請求項７或いは８に記載の玩具銃射撃用動く標的。
【考案の詳細な説明】
【技術分野】
【０００１】
本考案は、射撃関連用具に関し、可動式の標的と自動集弾機能を備えるとともに、音声、光、および分計測等作用を含む技術分野に属する玩具銃射撃用動く標的に係る。
【背景技術】
【０００２】
一般の射撃用玩具銃は、概ねエアーコッキングガン、電動ガン、ガスガンの三種類に分類される。それらの玩具銃は、弾を発射でき、本物に近く、真に迫る操作は十分に楽しむことができるため、愛好家から広く好評を博している。いずれの玩具銃であっても弾を発射できる故、愛好家は必ず標的を探して射撃を行い、正確な狙いを練習することによって楽しみも高まる。従来の愛好家の多くは、紙の標的や随意に取得した物品を目標として射撃練習を行ったが、非常に困ることは、これらの物品が動かない静態形式であるために、長い間行うと無味乾燥となり、尚且つ目標に的中したのかどうかを確認できないこともある。また、射撃後のＢＢ弾は、運動エネルギーに加えてぶつかった際の反作用力があるため四方に散乱し、回収は非常に面倒で大きな問題である。
【０００３】
以上より、公知の玩具銃の実弾射撃には依然として大きな欠点が残ることが理解される。
【考案の概要】
【考案が解決しようとする課題】
【０００４】
前述したような従来の玩具銃を実弾で射撃する際の標的が静態形式であるため楽しみに欠け、射撃後の弾が容易に散乱し拾い難く、的中したのかどうかを確認できない等の欠点を解決するために、本考案の主な目的は、標的に移動式機能を備えさせることにより、射撃の楽しみを高め、射撃技術の向上を可能にする玩具銃射撃用動く標的の提供にある。
【０００５】
本考案の次の目的は、射撃用標的の周辺構造の提供にある。その箱体は弾の落下点範囲を制限するとともに、箱体内部に備えた緩衝作用によって、ＢＢ弾が射撃後に弾かれて外方向に飛び出すのを防ぐ目的を果たす。また、箱体の底部は傾斜状をなし、尚且つ集弾部を設けてあるため、ＢＢ弾を自動的に収集する目的をも果たす。さらに、箱体上には表示ユニットと音声ユニットを設置し、射手は射撃後に標的の電子信号によって、命中したかどうかと獲得した合計点を知ることができるとともに、音声と光効果によって面白みを高めることができる。
【課題を解決するための手段】
【０００６】
上述の目的を達成するために、本考案の玩具銃射撃用動く標的は具体的に箱体を含み、該箱体を中空状とする。
【０００７】
前記箱体は、左側、右側、上部、後部の外殻板によって囲まれて形成され、該外殻板は厚みを加えた紙板、プラスチックスチール材によって製作され、箱体内にはさらに底板を含み、箱体の前部は開放状とする。
【０００８】
前記箱体の外殻板と底板の内側面にはいずれも緩衝層を設置し、該緩衝層は例えばＰＵ（ポリウレタン）材料の如き軟性材料によって製作するが、これに限定されないものとする。
【０００９】
前記底板は傾斜状をなし、斜めに下がっている外側端に集弾部を連設する。
【００１０】
前記底板の下方には二つのスライドレールを設け、集弾部は二つのスライドレールによって移動する。
【００１１】
前記箱体の前上部縁箇所には前上部板を設置する。
【００１２】
前記箱体の前部底縁箇所には前下部板を設置する。
【００１３】
前記前上部板と前下部板間は開放状態とする。
【００１４】
前記前上部板の前面には表示ユニットを設置し、該表示ユニットは表示を行うランプ或いは数字を含む。
【００１５】
前記前上部板の下部エッジと前下部板の上部エッジには発光部品を設置し、二つの発光部品は射撃区域の表示を補助する働きをする。
【００１６】
前記箱体の外部には音声部品を設置し、該音声部品はスピーカーとする。
【００１７】
前記音声部品は箱体外殻体の外部に設ける。
【００１８】
前記箱体内部の底板上には標的搬送装置を設置する。
【００１９】
前記標的搬送装置は、動力部品、動力部品の出力軸に嵌設する主動伝動部品、主動伝動部品に連設する伝動部品、伝動部品に連設する被伝動部品を備える。また、前記主動伝動部品と被伝動部品は歯車とし、伝動部品はチェーンとし、被伝動部品の軸心と同軸上に回転軸を連結し、回転軸の外側周囲に搬送部品を嵌着し、搬送部品には別に回転軸を嵌設する。
【００２０】
前記動力部品はモーターであり、変速機能を備える。
【００２１】
前記搬送部品は搬送ベルトである。
【００２２】
前記搬送部品上には一つ或いは一つ以上の標的を設置する。
【００２３】
前記標的は、底座、底座に横設する軸、軸上に連設する板体を備え、該板体は軸によって底座に対して直立状態となるか傾むいて倒れた状態となる。板体が底座に対して傾むいて倒れた状態となる時、係合する電子回路は電子信号を発信する。標的は衝撃に耐えられる材料を用いて製作され、ＢＢ弾発射時の20Ｊ（ジュール）の威力を受け止め、尚且つＢＢ弾のぶつかった後の弾き返す力を縮小する。
【００２４】
前記電子信号は、表示ユニット或いは音声部品に係合するランプ或いは音声を出力する。
【００２５】
箱体には電子制御ユニットをさらに設け、分計測機能の制御或いは設定、モータ速度或いは方向の調節、音声効果と発光部品の表示或いは明るさ等機能の操作を行うことができる。
【考案の効果】
【００２６】
本考案の玩具銃射撃用動く標的は、標的に移動式機能を備えさせることにより、射撃の楽しみを高めて射撃技術の向上を可能にする。また、箱体は弾の落下点範囲を制限するとともに、箱体内部に備えた緩衝作用によって、ＢＢ弾が射撃後に弾かれて外方向に飛び出すのを防ぐ目的を果たし、箱体の底部は傾斜状をなし、尚且つ集弾部を設けてあるため、ＢＢ弾を自動的に収集する目的をも果たす。さらに、箱体上には表示ユニットと音声ユニットを設置し、射手は射撃後に標的の電子信号によって、命中したかどうかと獲得した合計点を知ることができるとともに、音声と光効果によって面白みを高めることができる。
【図面の簡単な説明】
【００２７】
【図１】本考案の立体分解図である。
【図２】本考案の立体外観図である。
【図３】本考案の側面断面図である。
【図４】本考案の実施状態図である。
【図５】本考案のもう一つの実施例である。
【考案を実施するための形態】
【００２８】
以下、添付図面を参照して本考案の実施の形態を詳細に説明する。
【実施例】
【００２９】
図１、図２、図３に示した本考案の玩具銃射撃用動く標的は、箱体１を含む。
【００３０】
該箱体１は中空状をなし、箱体１は、左側、右側、上部、後部の外殻板１１によって囲まれて形成され、さらに底板１１１を含み、箱体１の前部は開放状とする。箱体１の外殻板１１と底板１１１の内側面にはいずれも緩衝層１２を設置し、該緩衝層１２は例えばＰＵ（ポリウレタン）材料の如き軟性材料によって製作するが、これに限定されないものとする。底板１１１は傾斜状をなし、斜めに下がっている外側端に集弾部１３を設置する。底板１１１には二つのスライドレール１３１を設け、集弾部１３は二つのスライドレール１３１によって移動する。箱体１の前上部縁箇所には前上部板１４を設置し、箱体１の前部底縁箇所には前下部板１５を設置する。前上部板１４と前下部板１５間は開放状態をなし、前上部板１４の下部エッジと前下部板１５の上部エッジには発光部品１４１、１５１を設置する。
【００３１】
標的搬送装置２は箱体１内部の底板１１１上に設置し、該標的搬送装置２には、動力部品２１、動力部品２１の出力軸に嵌設する主動伝動部品２２、主動伝動部品２２に連結する伝動部品２３、伝動部品２３に連結する被伝動部品２４を備える。前記主動伝動部品２２と被伝動部品２４は歯車、伝動部品２３はチェーンとする。また、被伝動部品２４の軸心と同軸上に回転軸２５を連結し、回転軸２５の外側周囲に搬送部品２６を嵌着し、搬送部品２６には別に回転軸２７を嵌設する。搬送部品２６は搬送ベルトとし、該搬送部品２６上には一つ或いは一つ以上の標的３を設置する。
【００３２】
一つ或いは一つ以上の標的３のそれぞれは、底座３１、底座３１に横設する軸３３、軸３３上に連結する板体３２を備え、該板体３２は軸３３によって底座３１に対して直立状態となるか傾むいて倒れた状態となる。板体３２が底座３１に対して傾むいて倒れた状態となる時、係合する電子回路（未図示）が電子信号を発信する。
【００３３】
表示ユニット４は、前上部板１４の外側に設け、該表示ユニット４はランプ或いは数字によって表示する。
【００３４】
音声部品５は、箱体１の外部に位置し、スピーカーとする。
【００３５】
本考案の実施時については、図４を合わせて参照する。標的搬送装置２の動力部品２１の作動によって主動伝動部品２２が従動し、伝動部品２３と被伝動部品２４が連動する。これにより、伝動部品２３は各標的３を連動し、それを移動させる。射手が各標的３に狙いを定めて射撃した後、標的３に的中すると、標的３は後方に倒れ、それと同時に、表示ユニット４と音声部品５が音と光効果を起こす。尚、射撃後のＢＢ弾６は、緩衝層１２の設置により散乱することがなく、すべて底板１１１上に落下し（図３参照）、さらに傾斜する底板１１１によって自動的に集弾部１３内に集められるため、回収が非常に便利である。
【００３６】
図５に示した本考案のもう一つの実施例は、箱体１内に複数組の標的搬送装置２を設置し、各標的搬送装置２を異なる高さと奥行きに位置させることにより、複数の目標を狙う射撃ニーズを満足させることができる。
【００３７】
箱体１には、電子制御ユニットをさらに設け、分計測機能の制御或いは設定、モータ速度或いは方向の調節、音声効果と発光部品の表示或いは明るさ等機能の操作を行うことができる。
【符号の説明】
【００３８】
１      箱体
１１    外殻板
１１１  底板
１２    緩衝層
１３    集弾部
１３１  スライドレール
１４    前上部板
１４１  発光部品
１５    前下部板
１５１  発光部品
２      標的搬送装置
２１    動力部品
２２    主動伝動部品
２３    伝動部品
２４    被伝動部品
２５    回転軸
２６    搬送部品
２７    回転軸
３      標的
３１    底座
３２    板体
３３    軸
４      表示ユニット
５      音声部品
６      ＢＢ弾
【図１】
0003181248.tif 000003
【図２】
0003181248.tif 000004
【図３】
0003181248.tif 000005
【図４】
0003181248.tif 000006
【図５】
0003181248.tif 000007